(57)【要約】【課題】安価な構成で内容物とドリップとを確実に分離できるドリップ分離容器を提供する。【解決手段】ドリップ分離容器１００は、収納空間１４の底部にドリップ保持空間１２を形成した容器本体１０と、容器本体底部のドリップ保持空間１２を閉塞する大きさに形成された弾性変形可能な硬質性のカバー部２０とを備え、カバー部２０が表面を線状にカットしたスリット２２を一以上形成している。これにより、カバー部２０をセットした容器本体１０の収納空間１４にカット野菜などの内容物を載置すると、内容物の自重によってカバー部２０が弾性変形し、スリット２２が開口してドリップが下方のドリップ保持空間１２に流下できるので、液状のドリップから内容物を離間させて、内容物が含浸されるのを防止できる。【選択図】図８
2007069958.tif 000002
【特許請求の範囲】
【請求項１】
保持対象の内容物と、内容物から生じるドリップとを分離可能なドリップ分離容器であって、
一方を開口した収納空間を形成し、収納空間の底部にドリップ保持空間を形成した容器本体と、
前記容器本体底部のドリップ保持空間を閉塞する大きさに形成された弾性変形可能な硬質性のカバー部と、
を備え、前記カバー部が表面を線状にカットしたスリットを一以上形成していることを特徴とするドリップ分離容器。
【請求項２】
請求項１に記載のドリップ分離容器であって、さらに、
前記ドリップ保持空間に配置される吸水性部材を備えることを特徴とするドリップ分離容器。
【請求項３】
請求項２に記載のドリップ分離容器であって、
前記吸水性部材が、紙、不織布、スポンジ、綿花、あるいはポリマー吸収剤のいずれかであることを特徴とするドリップ分離容器。
【請求項４】
請求項１から３のいずれか一に記載のドリップ分離容器であって、
前記容器本体とカバー部とは、前記カバー部が前記容器本体底部のドリップ保持空間を閉塞した状態で保持する保持構造を備えることを特徴とするドリップ分離容器。
【請求項５】
請求項１から４のいずれか一に記載のドリップ分離容器であって、
前記カバー部に形成したスリットが、前記カバー部の長手方向に沿って直線状のスリットを略平行に複数条形成してなることを特徴とするドリップ分離容器。
【請求項６】
請求項１から５のいずれか一に記載のドリップ分離容器であって、
前記容器本体とカバー部とを保持する保持構造が、カバー部の長手方向における両端に設けられてなることを特徴とするドリップ分離容器。
【発明の詳細な説明】
【技術分野】
【０００１】
本発明は、カット野菜や果物などの、果物汁等の水分（ドリップ）を生じる内容物、あるいは冷凍物を解凍することで解凍水が生じる内容物を保持するトレイなどのドリップ分離容器に関する。
【背景技術】
【０００２】
カットレタスやスライストマトなど、汁等の水分がしみ出る果物や野菜、肉類等を、レストランなどの外食産業で利用する場合は、これらを速やかに調理や盛り合わせ等に利用できるよう、予めカットしておくと共に、汁成分（ドリップ）を分離しておくことが望ましい。例えばスライスしたトマトは、切り口から野菜汁が滲みだし、そのままではびしょびしょになる。
【０００３】
ドリップに漬かったまま果物や肉類などを保存しておくと、水分中に微生物が発生して汚染されたり腐敗の原因になるなど、衛生上好ましくない。また濡れた状態の野菜や果物は、見栄えや味、触感にも悪影響を与える。このため、水分を拭き取る作業が必要となる。従来、このような拭き取り作業を軽減して衛生的に保持するために、カット野菜等を載置する底面に水分吸収シートなどを載置したトレイが開発されている。しかしながら、水分吸収シートに直接カット野菜を載置すると、水分吸収シートに吸収された水分が滲み出して再びカット野菜を濡らすという問題があった。
【０００４】
この問題を解決するため、図１１に示すようにトレイ４００の下方に複数のセル５０を区画し、区画されたセル５０内に水分吸収剤５２を保持すると共に、セル５０の上面を水分透過性シート５４で閉塞して野菜や肉類を水分吸収剤５２と離間させた構造のトレイ４００が開発されている（特許文献１参照）。この構造のトレイ４００は、水分吸収剤５２とカット野菜などの内容物が水分透過性シート５４で分離されるため、水分吸収剤５２に含まれる水分で内容物を濡らすことがない。
【特許文献１】特表２００２−５１９２５２号公報
【発明の開示】
【発明が解決しようとする課題】
【０００５】
しかしながら、上記の構造では各セルの上面に水分透過性シートを貼付する必要があり、トレイの製造工程が増えてコストが高くなるという問題があった。特に水分透過性シートはコストがかかる上、セル毎に一々糊などで貼付しなければならない。さらに水分透過性シートは、上面に肉類などの重量のある内容物を載置した状態で、水分吸収剤と内容物が接触しないように保持する必要があるので、ピンと張った状態に張設しなければならない。加えて、水分吸収剤を再充填してトレイを再利用することも困難であった。
【０００６】
また一方で、ドリップを内容物と分離するために水分透過性シートに代わってプラスチック製のトレイの底面に多数の孔を設けた透過層を配置し、孔を通じてドリップを滴下させる構成も開発されている。しかしながらこの場合は、常時孔が開口されているため、輸送の際等にトレイに振動が加わると、滴下されたドリップが孔を通じて逆流し、内容物を汚染するという問題があった。さらにこの構成では、透過層をパンチングなどで穿孔する必要があり、穿孔のための手間やコストがかかるという問題もあった。
【０００７】
本発明は、従来のこのような問題点を解決するために成されたものである。本発明の主な目的は、安価な構成で内容物とドリップとを確実に分離できるドリップ分離容器を提供することにある。
【課題を解決するための手段】
【０００８】
上記の目的を達成するために、本発明の第１の側面に係るドリップ分離容器は、保持対象の内容物と、内容物から生じるドリップとを分離可能なドリップ分離容器であって、一方を開口した収納空間を形成し、収納空間の底部にドリップ保持空間を形成した容器本体と、容器本体底部のドリップ保持空間を閉塞する大きさに形成された弾性変形可能な硬質性のカバー部とを備え、カバー部が表面を線状にカットしたスリットを一以上形成している。これにより、カバー部をセットした容器本体の収納空間にカット野菜などの内容物を載置すると、内容物の自重によってカバー部が弾性変形し、スリットが開口してドリップが下方のドリップ保持空間に流下あるいは滴下できるので、液状のドリップから内容物を離間させて、内容物が含浸されるのを防止できる。またドリップ分離容器が振動等により上向きの応力が加わっても、弾性変形したカバー部が元に戻ってスリットが閉塞されるため、ドリップがスリットを通して収納空間に戻ることが阻止され、内容物をドリップと分離して清潔に保つことが可能となる。
【０００９】
また、本発明の第２の側面に係るドリップ分離容器は、さらに、ドリップ保持空間に配置される吸水性部材を備える。これにより、ドリップ保持空間に保持されたドリップが吸水性部材で吸水されるので、液状のドリップを内容物から確実に分離して清潔に保つことができる。
【００１０】
さらに、本発明の第３の側面に係るドリップ分離容器は、吸水性部材が、紙、不織布、スポンジ、綿花、あるいはポリマー吸収剤のいずれかである。これにより、吸水性を発揮してドリップ保持空間でドリップを効率よく吸収できる。また吸水性部材を薄型のシート状に構成することで、ドリップ保持空間への配置が容易となり好ましい。特にポリマー吸収剤は吸収率が高く、吸水性部材として好適である。袋状の内部にポリマー吸収剤を含んだシート状の吸水性部材を使用すれば、吸水性部材の吸水性を高めつつ薄型にできるので、特に好ましい。
【００１１】
さらにまた、本発明の第４の側面に係るドリップ分離容器は、容器本体とカバー部とは、カバー部が容器本体底部のドリップ保持空間を閉塞した状態で保持する保持構造を備える。これにより、カバー部を容器本体底部の定位置に位置決めして保持でき、ドリップの逆流を阻止して安定してドリップと内容物とを分離できる。
【００１２】
さらにまた、本発明の第５の側面に係るドリップ分離容器は、カバー部に形成したスリットが、カバー部の長手方向に沿って直線状のスリットを略平行に複数条形成している。これにより、各スリットを長く形成でき、内容物の自重によるたわみでスリットを開口し易くして、ドリップを確実にスリットを透過させて分離させることができる。
【００１３】
さらにまた、本発明の第６の側面に係るドリップ分離容器は、容器本体とカバー部とを保持する保持構造が、カバー部の長手方向における両端に設けられている。これにより、長手方向の両端で固定されたカバー部は、上面に載置される内容物の重さで弾性変形するたわみ量が大きくなり、スリットをより大きく開口することができる。
【発明の効果】
【００１４】
本発明のドリップ分離容器は、硬質のカバー部にスリットを切り込みで設ける構成により、内容物がカバー部に載置されて加重がかかると、カバー部がたわんで変形することによりスリットが開き、ドリップが下方のドリップ保持空間に保持される。一方、振動等で下から応力が加わった場合には、カバー部への加重が弱くなることで変形が戻りスリットが閉塞されて、スリットを通じてドリップが上方の収納空間に戻ることが阻止される。このように、スリットの開口を最小限に抑えると共に、逆向きの力が加わったときにスリットを閉塞してドリップの戻りを阻止でき、ドリップ分離容器として理想的な機能を発揮できる。特に、このドリップ分離容器は、容器を構成する部材が容器本体とカバー部であり、これらを同質の素材で構成できる上、スリットの加工も簡単であるため、製造コストを極めて安価に抑えることができ、さらに組み立て作業自体も容易である。また、別部材の吸水性部材を使用しても、これを廃棄する際は、容器本体からカバー部を外して吸水性部材を容易に取り出すことができるので、分別廃棄にも対応できる。
【発明を実施するための最良の形態】
【００１５】
以下、本発明の実施の形態を図面に基づいて説明する。ただし、以下に示す実施の形態は、本発明の技術思想を具体化するためのドリップ分離容器を例示するものであって、本発明はドリップ分離容器を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１６】
図１〜図８に、本発明の一実施の形態に係るドリップ分離容器を示す。図１は、ドリップ分離容器１００の斜視図、図２は図１のドリップ分離容器１００の平面図、図３は、図２のドリップ分離容器１００の容器本体１０底部からカバー部２０を外した状態を示す平面図、図４はカバー部２０の平面図、図５は図１のドリップ分離容器１００の正面図、図６は側面図、図７は吸水性部材３０を示す斜視図、図８はドリップ分離容器１００に内容物Ｎを収納した状態を示す断面図を、それぞれ示している。これらの図に示すドリップ分離容器１００は、上方を開口した有底の容器本体１０と、容器本体１０の底面に形成されたドリップ保持空間１２を閉塞するカバー部２０とを備える。ドリップ保持空間１２には、吸水性部材３０が載置される。
（容器本体１０）
【００１７】
容器本体１０は、図１等に示すように内容物を収納する収納空間１４を形成し、さらに底面をカバー部２０で区画してドリップ保持空間１２を形成する。容器本体１０の形状及び大きさは、収納対象の内容物に応じて設計され、典型的には箱形とする。また容器本体１０の強度は、内容物を収納して保護できる強度に設計される。特に内容物がドリップを生じることを前提としてるため、耐水性を備えることが望ましい。例えば容器本体１０を合成樹脂製とし、典型的にはスチロールなどのプラスチックで形成される。素材にはポリスチレン、ポリプロピレン、高密度ポリエチレン、コポリエステル等が利用できる。また必要に応じて生物分解性プラスチックなども利用できる。これらの材質で、金型を利用した射出あるいは真空、圧空成型などにより、箱状に形成する。また内容物の鮮度を保つため、容器本体にガスバリア性などを持たせてもよい。例えば、容器本体の通気度を内容物に応じて適切に設定する。
【００１８】
一方で、容器本体１０は内容物を外部から確認しやすくするため、半透明や透明とするなど、何らかの透光性を持たせてもよい。あるいは逆に、遮光が必要な内容物を収納する場合は遮光性のある部材で構成する。また図１の例では、表面を波状に形成しており、空気層によってスライストマトなどが壁面に付着し難くできる。また収納空間１４の開口部端縁に枠状の平坦面１６を形成しており、内容物を収納した状態でこの平坦面１６を利用してラップやシールを容易に貼付できる。
（カバー部２０）
【００１９】
カバー部２０は、図２等に示すように、容器本体１０の底部を閉塞できるように、容器本体１０底部とほぼ同じ大きさ、もしくは若干小さい大きさに形成される。図５の側面図及び図８の断面図に示すように、容器本体１０の底部より、ドリップ保持空間１２となる突出部分１８を突出させている。カバー部２０は、この突出部分１８を内部で閉塞して、ドリップ保持空間１２を区画する。突出部分１８は、容器本体１０の底面よりも長さ及び／又は幅を一回り小さくして突出させることで、底面と突出部分１８との間に段差部分１９を設け、この段差部分１９にカバー部２０を係止して保持する。図５及び図８の例では、容器本体１０の長手方向において段差部分１９を形成し、カバー部２０の長手方向の両端で係止して保持する。このようにカバー部２０を長手方向の両端で保持することにより、上面に載置される内容物の重さでカバー部２０がたわんで弾性変形する変形量を大きくし、後述するようにスリット２２の開口を大きくすることができる。ただ、係止可能な段差部分１９はカバー部２０の両端位置に限られず、たわみの程度に応じて長手方向に沿って設けたり、カバー部の全周に沿って設けることも可能である。
【００２０】
カバー部２０も、容器本体１０と同様に合成樹脂等で構成できる。カバー部２０を容器本体１０と同じ部材で構成することで、これらを安価に製造でき、廃棄も分別の必要が無く容易に行える。またカバー部２０の強度は、上面に内容物を載置した状態で、ドリップ保持空間１２を維持できる十分な強度が必要となる。特に、後述するようにカバー部２０にはスリット２２が設けられるため、スリット２２を有しても十分な強度とし、かつ内容物の自重でカバー部２０が弾性変形してたわむことによりスリット２２が開口する程度の弾性も備える。このためカバー部２０の材質は、好適には硬質プラスチックが利用できる。さらにカバー部２０は、ドリップ保持空間１２に保持されるドリップの跳ね返りを阻止するため、カバー部２０の端縁を折曲させて下向きに突出する状態で容器本体１０に固定している。
（保持構造４０）
【００２１】
カバー部２０は容器本体１０の開口部から挿入して、底面に位置決めして保持される。このように、カバー部２０を容器本体１０に位置決めして保持、固定するために保持構造４０を、カバー部２０と容器本体１０の双方に備えている。具体的には、図２及び図３に示すように、一方に円筒状のボス４２を設け、他方にボス４２を嵌入可能な円筒状の凹部４４を設けている。これにより、ボス４２を凹部４４に嵌入して両者を容易に勘合できる。図の例では、カバー部２０にボス４２を設け、容器本体１０に凹部４４を設けているが、この逆とすることも可能であることはいうまでもない。また保持構造４０は、上記のボス構造に限られず、フックやカギによる係止、嵌入構造や面ファスナ、ネジ式など、２部材を連結可能な構造が適宜利用できる。
【００２２】
保持構造４０は、カバー部２０を容器本体１０に永久的に固定するものでなく、脱着可能に連結する構成が好ましい。これにより、吸水性部材３０を交換してドリップ分離容器を再利用可能としたり、ドリップ分離容器を廃棄する際に、吸水性部材３０を分離して分別回収を容易にできる。このように本実施の形態に係るドリップ分離容器は、リユース、リサイクルが容易な構造として環境にも配慮している。
（スリット２２）
【００２３】
カバー部２０には、スリット２２を形成している。スリット２２は、切り込み状に形成される。すなわち、カバー部２０に応力が印加されない状態ではスリット２２が閉じられており、カバー部２０が応力で湾曲すると、スリット２２部分が歪んで開口する状態となる。このように、当初からカバー部２０を開口させず、歪んだ状態、すなわち上面に内容物を載置した状態で初めて開口するように構成することで、内容物のドリップを透過させてカバー部２０下方のドリップ保持空間１２に流下あるいは滴下できる。
【００２４】
一方で、ドリップ保持空間１２からドリップが内容物の収納空間１４に逆流する事態を阻止する必要がある。一般には、ドリップ分離容器の運搬時等において、衝撃で下から上に向かう応力が加わったとき、ドリップの逆流が生じる。この場合において、下から上向きの力が内容物にも加わると、カバー部２０の上面から内容物が浮いた状態となって、一時的に内容物の重さによるカバー部２０のたわみが緩和される状態となる。言い換えると、カバー部２０の湾曲が少なくなる結果、スリット２２部分の開口が狭くなる、あるいは閉じられる状態となる。このようにスリット２２の開口を狭くする方向に働くことで、ドリップの逆流が抑制され、ドリップで内容物が濡れる状態を緩和、あるいは阻止することが可能となる。このように、本発明は機械的なスリット２２を設けるという極めて簡単な構成でありながら、効果的にドリップの流下と分離、さらには逆流の阻止を図ることができるのである。
【００２５】
線状のスリット２２は、図４などに示すように、直線状に切り込みを設けている。これらの切り込みは、複数をほぼ平行に設けることで、ドリップの通過量を多くできる。この例では、スリット２２をカバー部２０の長手方向に沿ってほぼ等間隔に３本設けている。長手方向にスリット２２を設ける構成は、スリット２２の本数を少なくして距離を長くし、少ない加工量でドリップの透過量を確保できる利点がある。ただ、スリットのパターンはこの例に限られず、例えば長手方向に直交するように設けたり、十字状、斜めに交差するクロス状などとしてもよい。
（吸水性部材３０）
【００２６】
さらに、ドリップ保持空間１２には、ドリップを吸収する吸水性部材３０を配置することが好ましい。吸水性部材３０の一例を図７の斜視図に示す。この図に示す吸水性部材３０は、シート状の袋３２に水分吸収剤としてポリマー吸収剤３４を収納している。このようにシート状の袋３２を利用することで、一定量のポリマー吸収剤３４を保持させて吸収量を一定とできる上、ドリップ保持空間１２に配置して、均一、均質な水分吸収能力を発揮できる。特に、粒子状の吸水性部材を一々充填する必要が無く、予め容器本体１０の突出部分１８に配置してカバー部２０を勘合することで容易にセットできるので、製造工程も簡素化できる上、交換や廃棄の際に吸水性部材３０を容易に容器本体１０から分離できる利点が得られる。また、吸水性部材３０は一枚だけドリップ保持空間１２に配置する他、複数枚を配置してもよい。さらに、配置の際に吸水性部材３０が完全に収納されるように配置する他、吸水性部材３０の一部をカバー部２０と容器本体１０の保持構造４０で部分的に挟むようにして、吸水性部材３０がドリップ保持空間１２で移動しないように固定できる。
【００２７】
このように、本実施の形態に係るドリップ分離容器１００によれば、図８に示すようにスライストマトなどの内容物Ｎを収納すると共に、ドリップを分離して衛生的に保持できる。またカット野菜に限られず、例えばレバーなどの冷凍物を解凍するためにドリップ分離容器に保持しておくことで、解凍水や血液、肉汁等を吸水性部材３０で吸収して内容物の表面に水分を残さず、衛生的に保持できる。
（変形実施例）
【００２８】
なお、上記の例ではカバー部を容器本体の底面を閉塞する平板状に構成したが、この例に限られず、容器本体の底部にドリップ及び吸水性部材を配置するためのドリップ保持空間１２を形成できる構成であれば他の構成も採用できる。例えば図９に示すように、ドリップ分離容器２００のカバー部２０Ｂを容器本体１０Ｂの内面と一致するように上方を開口した有底の箱状に形成する。カバー部２０Ｂの方が容器本体１０Ｂよりも浅底に形成することで、二重底状にカバー部２０Ｂと容器本体１０Ｂとの間にドリップ保持空間１２を形成できる。あるいは、図１０に示すようにドリップ分離容器３００のカバー部２０Ｃの底面から脚部を突出させて、カバー部２０Ｃの底面と容器本体１０Ｃの底面を離間させ、この空間をドリップ保持空間１２として利用することもできる。このように、カバー部や容器本体の形状は、ドリップ保持空間１２を形成できるあらゆる形状が採用できる。
【産業上の利用可能性】
【００２９】
本発明のドリップ分離容器は、外食チェーンの食材収納容器として、冷蔵庫にカット食材を入れるための容器として好適に利用できる。
【図面の簡単な説明】
【００３０】
【図１】本発明の一実施の形態に係るドリップ分離容器を示す斜視図である。
【図２】図１のドリップ分離容器を示す平面図である。
【図３】図２のドリップ分離容器の容器本体底部からカバー部を外した状態を示す平面図である。
【図４】カバー部を示す平面図である。
【図５】図１のドリップ分離容器を示す正面図である。
【図６】図１のドリップ分離容器を示す側面図である。
【図７】吸水性部材を示す斜視図である。
【図８】ドリップ分離容器に内容物を収納した状態を示す断面図である。
【図９】本発明の他の実施の形態に係るドリップ分離容器を示す断面図である。
【図１０】本発明のさらに他の実施の形態に係るドリップ分離容器を示す断面図であ
【図１１】従来のドリップ分離容器を示す斜視図である。
【符号の説明】
【００３１】
１００、２００、３００…ドリップ分離容器
４００…トレイ
１０、１０Ｂ、１０Ｃ…容器本体
１２…ドリップ保持空間
１４…収納空間
１６…平坦面
１８…突出部分
１９…段差部分
２０、２０Ｂ、２０Ｃ…カバー部
２２…スリット
３０…水分吸収剤
３２…袋
３４…ポリマー吸収剤
４０…保持構造
４２…ボス
４４…凹部
５０…セル
５２…水分吸収剤
５４…水分透過性シート
Ｎ…内容物
【図１】
2007069958.tif 000003
【図２】
2007069958.tif 000004
【図３】
2007069958.tif 000005
【図４】
2007069958.tif 000006
【図５】
2007069958.tif 000007
【図６】
2007069958.tif 000008
【図７】
2007069958.tif 000009
【図８】
2007069958.tif 000010
【図９】
2007069958.tif 000011
【図１０】
2007069958.tif 000012
【図１１】
2007069958.tif 000013